(57)【要約】【課題】時々刻々と変化する商品販売状況に対応した効果的な広告を提供することができる表示装置、表示装置の制御方法及び表示制御プログラムを提供する。【解決手段】投写コンテンツを投写するプロジェクター１であって、投写コンテンツを生成するためのキーワードの入力を受け付けるＰＯＳ情報取得部５１と、キーワードに関連する関連情報を取得する関連情報取得部５３と、関連情報を利用して投写コンテンツ１００を生成するコンテンツ生成部５５と、を有する。【選択図】図４
2011100316.tif 000002
【特許請求の範囲】
【請求項１】
表示コンテンツを表示する表示装置であって、
前記表示コンテンツを生成するためのキーワードの入力を受け付ける入力部と、
前記キーワードに関連する関連情報を取得する取得部と、
前記関連情報を利用して前記表示コンテンツを生成する生成部と、を有することを特徴とする表示装置。
【請求項２】
前記表示装置はＰＯＳシステムと通信可能に接続され、
前記取得部は、前記ＰＯＳシステムから前記関連情報を取得することを特徴とする請求項１に記載の表示装置。
【請求項３】
前記関連情報は、前記ＰＯＳシステムにおいて管理されている商品に関連する商品関連情報を含み、
前記取得部は、ネットワークを介して前記商品関連情報を取得することを特徴とする請求項２に記載の表示装置。
【請求項４】
前記関連情報は、コンテンツ素材に関する情報を含み、
前記生成部は、前記表示装置の内部又はネットワーク上に設けられた記憶部から取得した前記コンテンツ素材を利用して前記表示コンテンツを生成することを特徴とする請求項１から３の何れか１項に記載の表示装置。
【請求項５】
前記商品に付与された電子タグのタグ計数値を取得する計数値取得部を更に有し、
前記生成部は前記タグ計数値を前記表示コンテンツに含めることを特徴とする請求項３又は４に記載の表示装置。
【請求項６】
前記タグ計数値を分析する計数値分析部を更に有することを特徴とする請求項５に記載の表示装置。
【請求項７】
表示コンテンツを表示する表示装置の制御方法であって、
前記表示コンテンツを生成するためのキーワードの入力を受け付けるステップと、
前記キーワードに関連する関連情報を取得するステップと、
前記関連情報を利用して前記表示コンテンツを生成するステップと、を有することを特徴とする表示装置の制御方法。
【請求項８】
表示コンテンツを生成するためのキーワードの入力を受け付けるステップと、
前記キーワードに関連する関連情報を取得するステップと、
前記関連情報を利用して前記表示コンテンツを生成するステップと、を表示装置が備えるコンピューターに実行させることを特徴とする表示制御プログラム。
【発明の詳細な説明】
【技術分野】
【０００１】
本発明は、表示コンテンツを表示する表示装置、表示装置の制御方法及び表示制御プログラムに関する。
【背景技術】
【０００２】
従来、スーパーやコンビニエンス・ストア等の小売業では、購入商品並びにその金額に関するいわゆる決済情報に、商品広告やイベント告知などの付加情報を付加してレシート上に印刷可能なＰＯＳシステム（Point Of Sales）が広く利用されている。また、近年では付加情報として、広告情報だけでなく、クーポン券や抽選券としての販促情報が付加される場合もあり、販売促進に有効な広告手段となっている。さらに、近年では広告を電子的に表示する、所謂デジタルサイネージが周知である。
【０００３】
例えば特許文献１には、広告主業者側に設置されてネットワークを介してＰＯＳ端末及び本部端末に接続されると共に、本部端末から指定される広告配信設定指示に従って本部端末に対して広告用配信設定を行う広告主端末を備えたＰＯＳシステムが提案されている。本部端末では広告主端末からの広告用配信設定に応じて必要な広告表示用情報を生成してＰＯＳ端末へ送信し、ＰＯＳ端末では本部端末から送信された広告表示用情報を受信すると共に、この広告表示用情報に基づいて広告主端末から取得した広告データを表示パネルに広告として表示する。
【０００４】
また特許文献２には、ＰＯＳシステムから送信される商品の在庫状況、受発注情報などを示す受発注在庫情報を利用して、ウエッブ広告の出現頻度や表示位置などを適宜調整する機能を備える広告管理システムが提案されている。
【先行技術文献】
【特許文献】
【０００５】
【特許文献１】特開２００４−３０１１５号公報
【特許文献２】特開２００８−２８７６２２号公報
【発明の概要】
【発明が解決しようとする課題】
【０００６】
ところで、特許文献１及び特許文献２に記載のＰＯＳシステムでは、予めデータベースに登録されている広告情報を用いて商品広告が作成されている。しかしながら、予めデータベースに登録されている広告情報を使用しているだけでは、時々刻々と変化する商品販売状況に対応した効果的な広告を提供することができない場合がある。
【０００７】
また、ＰＯＳシステムは、店舗で商品を販売するごとに商品の販売情報を記録し、集計結果を在庫管理やマーケティング材料として用いるシステムである。このため、ＰＯＳ端末に商品の購入情報が入力されなければ、販売情報として反映されない。つまり、顧客が商品棚から商品を採ってカゴに入れると商品棚からは商品がなくなっていても、店舗内で買い物をしている他の顧客にはその商品棚に残っている商品の数を知らせることはできない。このように、ＰＯＳシステムから得られる販売情報だけでなく、売り場に陳列されている商品のリアルタイムな情報も広告に含めたいという要望もある。
【０００８】
本発明は上記課題を解決するためになされたものであって、時々刻々と変化する商品販売状況に対応することができ、さらに、商品のリアルタイムな情報を利用した効果的な広告を提供することができる表示装置、表示装置の制御方法及び表示制御プログラムを提供することを目的とする。
【課題を解決するための手段】
【０００９】
上記課題を解決することのできる本発明は、表示コンテンツを表示する表示装置であって、前記表示コンテンツを生成するためのキーワードの入力を受け付ける入力部と、前記キーワードに関連する関連情報を取得する取得部と、前記関連情報を利用して前記表示コンテンツを生成する生成部と、を有することを特徴とする。
上記構成によれば、受け付けたキーワードに関連する関連情報を取得することができる。また取得した関連情報を利用して表示コンテンツを生成し表示することができる。このため、予めデータベースに登録されている情報を使用するだけでなく、時々刻々と変化する情報に対応した関連情報を取得し、効果的な表示コンテンツを生成することが可能となる。
【００１０】
また、本発明の表示装置において、前記表示装置はＰＯＳシステムと通信可能に接続され、前記取得部は、前記ＰＯＳシステムから前記関連情報を取得することが好ましい。
上記構成によれば、表示装置はＰＯＳシステムと通信可能に接続されているので、ＰＯＳシステムから関連情報を取得することができる。したがって、ＰＯＳシステムにおいて管理されているＰＯＳ情報を利用した表示コンテンツを生成し表示させることができる。
【００１１】
また、本発明の表示装置において、前記関連情報は、前記ＰＯＳシステムにおいて管理されている商品に関連する商品関連情報を含み、前記取得部は、ネットワークを介して前記商品関連情報を取得することが好ましい。
上記構成によれば、ＰＯＳシステムで管理されている商品に関連する商品関連情報をインターネットなどのネットワークから取得して表示コンテンツを作成することができる。このため、データベースに登録されている固定的な表示コンテンツを使用する場合と比べ、商品販売状況に合わせた流動的な表示コンテンツを作成することができる。
例えば、食材を商品としたときの商品関連情報には、その食材を用いたメニューの画像や、その食材を用いたメニューのレシピなどを、インターネットから取得し、表示コンテンツに含めることができる。
【００１２】
また、本発明の表示装置において、前記関連情報は、コンテンツ素材に関する情報を含み、前記生成部は、前記表示装置の内部又はネットワーク上に設けられた記憶部から取得した前記コンテンツ素材を利用して前記表示コンテンツを生成することが好ましい。
上記構成によれば、記憶部に記憶されているコンテンツ素材を利用して表示コンテンツを生成することができる。例えば、コンテンツ素材としてテンプレートのような素材情報に、ＰＯＳシステムから取得したＰＯＳ情報や、ネットワークから取得した商品関連情報などを付加することができる。このため、表示コンテンツの生成処理速度を極端に低下させることを防止しつつ、効果的な表示コンテンツを提供することができる。
【００１３】
また、本発明の表示装置において、前記商品に付与された電子タグのタグ計数値を取得する計数値取得部を更に有し、前記生成部は前記タグ計数値を前記表示コンテンツに含めることが好ましい。
上記構成によれば、商品に付与されている電子タグの計数値を取得することができるので、商品棚に陳列されている商品の数をリアルタイムで取得することができる。そして、タグ計数値を含めた表示コンテンツを表示することによって、売り場の商品数を顧客に知らせることができる。
【００１４】
また、本発明の表示装置において、前記タグ計数値を分析する計数値分析部を更に有することが好ましい。
上記構成によれば、例えばタグ係数値の分析結果に基づき、商品の在庫が売り切れるまでの時間を予測して表示したり、商品が無くなる勢いをグラフで表示させたりすることで、顧客に購買意欲を高める効果的な表示コンテンツを表示させることができる。
【００１５】
また、上記課題を解決することのできる本発明に係る表示装置の制御方法は、表示コンテンツを表示する表示装置の制御方法であって、前記表示コンテンツを生成するためのキーワードの入力を受け付けるステップと、前記キーワードに関連する関連情報を取得するステップと、前記関連情報を利用して前記表示コンテンツを生成するステップと、を有することを特徴とする。
また、上記課題を解決することのできる本発明に係る表示制御プログラムは、表示コンテンツを生成するためのキーワードの入力を受け付けるステップと、前記キーワードに関連する関連情報を取得するステップと、前記関連情報を利用して前記表示コンテンツを生成するステップと、を表示装置が備えるコンピューターに実行させることを特徴とする。
上記構成によれば、従来のように、予めデータベースに登録されている情報を使用するだけでなく、時々刻々と変化する情報に対応する関連情報を取得して、効果的な表示コンテンツを生成することが可能となる。
【図面の簡単な説明】
【００１６】
【図１】本実施形態のプロジェクターの内部構成を示すブロック図である。
【図２】本実施形態のプロジェクターのアプリケーション実行環境を説明するソフトウェア階層図である。
【図３】本実施形態の投写コンテンツ生成機能の概要を説明するためのネットワーク図である。
【図４】本実施形態のプロジェクターの内部処理を説明するための機能ブロック図である。
【図５】本実施形態のプロジェクターが取得するＰＯＳ情報の一例を示した図である。
【図６】投写コンテンツの生成に必要なコンテンツ素材リストの一例を示した図である。
【図７】タグ計数値の時間的変化を示したグラフである。
【図８】本実施形態のプロジェクターによる投写コンテンツの生成処理を説明するためのフローチャートである。
【図９】コンテンツ生成部が取得したテンプレート画像の一例を示した図である。
【図１０】図９のテンプレート画像にコンテンツ素材が貼り付けられた状態を示す図である。
【図１１】図１０の残り個数エリアが書き換えられた状態を示す図である。
【図１２】コンテンツ生成部が取得したタイムセールの終了を知らせるためのテンプレート画像にコンテンツ素材が貼り付けられた状態の例を示した図である。
【図１３】コンテンツ生成部が取得した他のテンプレート画像の例を示した図である。
【図１４】図１３のテンプレート画像にコンテンツ素材が貼り付けられた状態を示す図である。
【図１５】図１３のテンプレート画像のレシピ画像エリア及びレシピエリアに、インターネットから取得した商品関連情報が貼り付けられた情報を示す図である。
【発明を実施するための形態】
【００１７】
以下、本発明に係る表示装置、表示装置の制御方法及び表示制御プログラムの好適な実施形態について、図面を参照して詳細に説明する。
【００１８】
図１は、本発明に係る表示装置の一実施の形態に係るネットワークプロジェクター（以下、単に「プロジェクター」と言う）１の概略構成を示す図である。図１に示すように、プロジェクター１は、制御部１０と、投写ユニット１１と、拡張スロット１２と、ネットワークカード１３と、フラッシュＲＯＭ１４とを有している。
【００１９】
制御部１０は、プロジェクター１の各部を中枢的に制御するものであり、演算処理プロセッサとしてのＣＰＵ１５と、このＣＰＵ１５により実行される制御プログラム（いわゆるファームウェア）が格納されるＲＯＭ１７と、ＣＰＵ１５のワークエリアとして機能して演算結果や各種データを一時的に格納するＲＡＭ１６とを有している。本実施例では、ＲＯＭ１７は、ＥＥＰＲＯＭ（Electrically Erasable Programmable ROM）やＦｌａｓｈメモリーなど、電気的に書換え可能な不揮発性メモリーで構成されているものとする。
【００２０】
投写ユニット１１は、例えば、放電発光型の光源ランプや、ＬＥＤ（Light Emitting Diode）等の固体発光素子等からなる光源と、光源から射出された光束を画像信号に基づいて変調して画像光を形成する光変調装置（例えば、液晶パネル、入射側偏光板および射出側偏光板を備えた液晶ライトバルブやマイクロミラーを用いたデバイス等）と、画像光を拡大投写する投写レンズ等と、を備えて構成されている。
【００２１】
拡張スロット１２は、プロジェクター１に内設され、当該プロジェクター１の機能を拡張するためのカード型の回路が挿脱されるソケットであり、この拡張スロット１２には、上記ネットワークカード１３が挿着されている。
【００２２】
ネットワークカード１３は、データ通信部１８と周辺機器接続部１９とを有し、建物内に敷設されたＬＡＮやインターネット等のネットワーク２を介して他のプロジェクターや通信端末（例えばコンテンツサーバー２０やウェブサーバー８０）とデータ通信する機能、および、周辺機器を接続する機能を有するものである。すなわち、上記データ通信部１８は、ＴＣＰ／ＩＰ等の所定の通信プロトコルに基づいて信号処理するネットワークコントローラー２１と、有線または無線にてネットワーク２に接続される通信Ｉ／Ｆ２２とを有して構成されている。また、周辺機器接続部１９は、周辺機器を接続するためのものであり、例えばＵＳＢ規格やＩＥＥＥ１３９４規格等の所定規格に準拠して信号処理を実行する接続Ｉ／Ｆコントローラー２３と、周辺装置２４の接続口たる複数（図示例では２つ）の接続コネクタ２５を備えている。本実施形態では周辺機器として、電子タグ読取装置９０が接続される。
【００２３】
フラッシュＲＯＭ１４は、書き換え可能な不揮発性メモリーであり、各種のアプリケーションが格納されている。これらのアプリケーションは、例えばメモリカード等の記録媒体２６に記録されて配布され、或いは、ネットワーク２等の電気通信回線を通じて配布され、そして、このようにして配布されたアプリケーションがフラッシュＲＯＭ１４にインストール可能に構成されている。また、制御部１０のＲＯＭ１７に格納される制御プログラムもアプリケーションと同様に、記録媒体２６、あるいは、ネットワーク２等の電気通信回線を介して配布可能であり、このように配布された制御プログラムがＲＯＭ１７にインストール可能に構成されている。
【００２４】
上記フラッシュＲＯＭ１４等に格納されるアプリケーションとしては、プロジェクター１が投写する投写コンテンツの生成に必要な関連情報を取得し、自ら投写コンテンツを生成するアプリケーションがある。このアプリケーションの実行環境について図２を参照して説明する。
【００２５】
図２は、プロジェクター１のアプリケーション実行環境を示すソフトウェア概略構成図である。この図に示すように、プロジェクター１の制御部１０には、ＯＳプラットフォーム３０上にインタプリタ環境であるソフトウェアプラットフォーム３１が構成されている。ソフトウェアプラットフォーム３１は、Ｊａｖａ（登録商標）プラットフォームのランタイム環境として構成されており、インタプリタとしてのＪａｖａ（登録商標）ＶＭ（Ｊａｖａ（登録商標）仮想マシン）３２、ライブラリー３３およびフレームワーク群３４を備えて構成されている。Ｊａｖａはサンマイクロシステムズ社の登録商標である。
ライブラリー３３は標準のＡＰＩライブラリーとプロジェクター１に専用のライブラリーを含んで構成されており、ＯＳプラットフォーム３０が提供する抽象化された各種コンピューター資源を、さらにソフトウェアプラットフォーム３１専用のモデルによって抽象化して、この上で動作するアプリケーションのための実行環境を提供する。
【００２６】
フレームワーク群３４はＯＳＧｉ（Open Service Gateway initiative）フレームワーク３４ａを含んで構成されており、このＯＳＧｉフレームワーク３４ａは単一のＪａｖａ（登録商標）ＶＭ３２上に複数のアプリケーションを動作させる。また、ＯＳＧｉフレームワーク３４ａは、アプリケーションのライフサイクルの管理やアプリケーション間通信機能などを提供する。このＯＳＧｉフレームワーク３４ａ上には、複数のシステムサービスがプリインストールされている。システムサービスには、新たなアプリケーションを追加したり更新したり削除したりするためのアプリケーション管理サービス等がある。
【００２７】
以下では、図２に示したアプリケーション実行環境において実行される、本実施形態におけるアプリケーション（表示制御プログラム）が提供するＰＯＳシステムと連携して投写コンテンツを生成し表示する機能について説明する。
【００２８】
＜ＰＯＳシステムと連携して投写コンテンツを生成し表示する機能の概要について＞
本実施形態のプロジェクター１は、スパーマーケットなどの店舗の商品売り場内に設置されている。図３に示すように、プロジェクター１は、ＰＯＳシステム６０と通信可能に接続されており、ＰＯＳシステム６０において管理されている商品の販売時点情報を取得することができる。また、ＰＯＳシステム６０から得られたＰＯＳ情報から、投写コンテンツ１００の生成に必要な情報であって、特定のキーワードに関連する商品情報を抽出する。さらに、プロジェクター１は、構内ネットワーク７１に接続して、コンテンツサーバー２０から商品に関連するコンテンツ素材（後述）を取得したり、インターネット７０に接続して、商品に関連する商品関連情報をウェブサーバー８０から取得したりすることができる。
【００２９】
また、店舗の商品売り場には商品棚７５が設けられ、商品棚７５には複数の商品８５が陳列されている。各商品８５には、ＲＦＩＤ（Radio Frequency Identification）等の電子タグ８１が搭載されている。
【００３０】
プロジェクター１には、上述した周辺機器として電子タグ読取装置９０が接続されている。電子タグ読取装置９０は、商品棚７５に陳列されている商品８５の電子タグ８１に書き込まれている商品情報を読み取り、プロジェクター１内部へ送信する。プロジェクター１は、受信した商品情報に基づいて商品８５の残数を計数し、タグ計数値として保持する。これにより、商品棚７５に陳列されている商品８５の残数をリアルタイムに取得することができる。
【００３１】
このように、本実施形態のプロジェクター１は、ＰＯＳシステム６０から取得したＰＯＳ情報、インターネット７０と構内ネットワーク７１とを含むネットワーク２から取得したコンテンツ素材や商品関連情報及び電子タグ読取装置９０が読み取った商品情報に基づいて得られるタグ計数値、を利用して投写コンテンツ１００を生成し店舗内に投写する。すなわち、プロジェクター１は与えられた特定のキーワードに関連する店舗内商品の関連情報を自ら取得し、適切なタイミングで効果的な電子広告を投写することができる。
【００３２】
＜投写コンテンツの生成機能について＞
次に、上述したアプリケーションが提供する投写コンテンツの生成機能について、図４を参照して詳細に説明する。
図４に示すように、アプリケーションが実行されると、プロジェクター１の制御部１０には、ＰＯＳ情報取得部５１、関連情報取得部５３、コンテンツ生成部５５、タグ計数値取得部５８及び計数値分析部５９が構成される。また、プロジェクター１のフラッシュＲＯＭ１４には、記憶部として、コンテンツ情報記憶部５７が設定される。
【００３３】
ＰＯＳ情報取得部５１（入力部）は、ＰＯＳシステム６０から特定のキーワードを含むＰＯＳ情報の入力を受け付ける。本実施形態では、特定のキーワードはＰＯＳシステム側から指定され、ＰＯＳ情報とともに受け付けるものとする。例えば、特定の日時に自動的に設定されるキーワードであってもよい。
図５は、ＰＯＳ情報取得部５１が取得するＰＯＳ情報の一例である。商品名、特売品情報、特売時間、特価、通常価格、在庫、既販売数及び販売期限に関する情報が含まれている。ＰＯＳ情報取得部５１は、図５のＰＯＳ情報の中から、ＰＯＳシステム６０において管理されている商品の商品情報を抽出し、関連情報取得部５３やコンテンツ生成部５５へ送信する。つまり、指定されたキーワードに関連する商品の商品情報が抽出される。
【００３４】
関連情報取得部５３（取得部）は、ＰＯＳ情報取得部５１から商品情報を受信すると、その商品に関連する商品関連情報をインターネット７０から取得する。商品関連情報とは、コンテンツ情報記憶部５７やコンテンツサーバー２０に記憶されていない情報であって、投写コンテンツ１００をより効果的なものにするために付加する情報である。例えば、商品名「ニンジン」に関連する商品関連情報としては、ニンジンを使ったメニューの画像や、そのメニューのレシピ情報などがある。
【００３５】
コンテンツ生成部５５は、ＰＯＳ情報取得部５１から商品情報を受信すると、その商品についての投写コンテンツ１００を生成するために必要なコンテンツ素材を、コンテンツ情報記憶部５７や構内ネットワーク７１上にあるコンテンツサーバー２０から取得する。このとき、コンテンツ生成部５５は取得部としても機能する。また、コンテンツ生成部５５は、ＰＯＳ情報取得部５１から受信した商品情報、関連情報取得部５３から受信した商品関連情報及び自ら取得したコンテンツ素材、に基づいて投写コンテンツ１００を生成する。
【００３６】
上述した、ＰＯＳ情報取得部５１、関連情報取得部５３及びコンテンツ生成部５５が果たす機能について図５及び図６を参照して具体的に説明する。
例えば、ＰＯＳシステム６０において指定されたキーワードが「特売品」であったとすると、ＰＯＳ情報取得部５１は、商品名「ニンジン」、特売品情報「特売品」、特価「５０円」を抽出し、関連情報取得部５３及びコンテンツ生成部５５へ送信する。
コンテンツ生成部５５は、「特売品」，「ニンジン」，「５０円」についての投写コンテンツ１００を生成するために必要なコンテンツ素材を、図６に示すコンテンツ素材リストに基づき、コンテンツ情報記憶部５７やコンテンツサーバー２０から取得する。
【００３７】
具体的には、コンテンツ生成部５５は、「特売品」に関するテンプレート「特売品広告+レシピ」のコンテンツ「Tokubai_recipe.tplt」を「\localdata\template」から読み出す。また、「ニンジン」に関する商品画像「Carrot.jpg」を「\\192.168.123.100￥data￥picture」から読み出す。さらに、「５０円」に関する文字フォント「Font.ttf」を「\localdata\font」から読み出す。本実施形態では、「\localdata」はコンテンツ情報記憶部５７であり、「\\192.168.123.100￥data￥picture」はＩＰアドレス：192.168.123.100の構内ネットワーク７１上のコンテンツサーバー２０である。
なお、図６のコンテンツ素材リストは、フラッシュＲＯＭ１４等の不揮発性の記憶部に記憶されている。
【００３８】
関連情報取得部５３は、「ニンジン」についての商品関連情報として、インターネット７０からニンジンを使ったメニューの画像や、ニンジンを使ったメニューのレシピ情報を検索し取得する。ここで、商品関連情報をインターネット７０から検索するには、”ニンジン”+”レシピ”等を検索式として検索すればよい。”ニンジン”についてはＰＯＳ情報取得部５１から取得し、”レシピ”についてはコンテンツ生成部５５が参照するコンテンツ素材リストから取得することができる。
【００３９】
図４に戻り、引き続きタグ計数値取得部５８、計数値分析部５９について説明する。
タグ計数値取得部５８は、商品棚７５に陳列されている各商品８５に付与されている電子タグ８１を読み取った数を、タグ計数値として送信する。すなわち、電子タグ読取装置９０が電子タグ情報を読み取り電子タグの数を計数する。電子タグ読取装置９０が計数した結果をタグ計数値としてプロジェクター１へ送信すると、プロジェクター１のタグ計数値取得部５８がこれを取得する。
【００４０】
計数値分析部５９は、タグ計数値取得部５８が取得したタグ計数値を分析し、商品８５が無くなる勢いを算出する。例えば図７に示すように、計数値分析部５９は、タグ計数値の変化を時間軸で記録し、商品の無くなる勢いを計測する。計数値分析部５９が、タグ計数値が「０」になる時刻を予測し、売り切れ予測時間としてコンテンツ生成部５５へ送信すれば、コンテンツ生成部５５は売り切れ予測時間を含めた投写コンテンツ１００を生成することができる。
【００４１】
次に、各プロジェクター１が投写コンテンツ１００を生成し投写する制御方法について図８のフローチャートにしたがい、図９〜図１２を参照しつつ説明する。
プロジェクター１は、ＰＯＳシステム６０から投写コンテンツ１００の投写要求を受信すると（ステップＳ１１：Ｙｅｓ）、ＰＯＳ情報取得部５１が、投写対象商品情報すなわち図５に示したＰＯＳ情報をＰＯＳ情報提供部６１から取得する（ステップＳ１３）。一方、ＰＯＳシステム６０から投写要求を受信しない場合は（ステップＳ１１：Ｎｏ）、ＰＯＳ情報取得部５１は自らＰＯＳシステム６０にアクセスしＰＯＳ情報を取得することもできる（ステップＳ１５）。
【００４２】
ＰＯＳ情報取得部５１は取得したＰＯＳ情報から、指定されているキーワードに関連する商品情報を抽出し（ステップＳ１７）、コンテンツ生成部５５及び関連情報取得部５３へ送信する。具体的には、ＰＯＳシステム６０において指定されたキーワードが「タイムセール」であったとすると、ＰＯＳ情報取得部５１は、商品名「ほうれん草」、特売品情報「タイムセール」、販売時間「１０：００−１１：００」、特価「７０円」を抽出し、関連情報取得部５３及びコンテンツ生成部５５へ送信する。
【００４３】
次に、コンテンツ生成部５５は、図６に示したコンテンツ素材リストに基づき、取得した商品情報について、投写コンテンツ１００を生成するために必要な情報の格納場所を知っているか否かを判定する。具体的には、「タイムセール」、「ほうれん草」、「１０：００−１１：００」、「７０円」についての投写コンテンツ１００を生成するために必要なコンテンツ素材が、図６に示すコンテンツ素材リストに基づき、コンテンツ情報記憶部５７や構内ネットワーク７１上にあるコンテンツサーバー２０から取得できるか否かを判定する。
【００４４】
コンテンツ生成部５５は、格納場所を知っている場合は（ステップＳ１９：Ｙｅｓ）、コンテンツ素材の格納場所にアクセスして、コンテンツ素材を取得する（ステップＳ２１）。
「タイムセール」に関するテンプレート「タイムセール+残量」のコンテンツ「TimeSale.tplt」の格納場所「\localdata\template」を知っているので、これをコンテンツ情報記憶部５７から取得する。また、「ほうれん草」に関する商品画像「Spinach.jpg」の格納場所「\\192.168.123.100￥data￥picture」を知っているのでコンテンツサーバー２０から取得する。また、「ほうれん草」及び「７０円」に関する文字フォント「Font.ttf」の格納場所「\localdata\font」を知っているので、これをコンテンツ情報記憶部５７から取得する。
【００４５】
一方、格納場所を知らない場合は（ステップＳ１９：Ｎｏ）、関連情報取得部５３を介してインターネット７０から取得する（ステップＳ２３）。
【００４６】
ここで、ステップＳ２１で取得した、「タイムセール+残量」のテンプレートには商品の残量が含まれている。このため、電子タグ読取装置９０がほうれん草に付与されている電子タグ８１を読み取り、タグ計数値取得部５８はタグ計数値提供部９１からからタグ計数値を取得する（ステップＳ２５）。計数値分析部５９はタグ計数値を分析し、商品の残数が「０」でなければ（ステップＳ２７：Ｙｅｓ）、取得したタグ計数値をコンテンツ生成部５５へ送信する。
【００４７】
コンテンツ生成部５５は、ステップＳ２１で取得したコンテンツ素材と、ステップＳ２５で取得したタグ計数値に基づき、投写コンテンツ１００を生成する（ステップＳ３１）。
図９は、コンテンツ生成部５５が取得したテンプレート画像２００を示している。テンプレート画像２００には、商品画像エリア２１０、残り個数エリア２２０、商品名エリア２３０及び値段エリア２４０の４つの空白エリアが設けられている。各エリアには、コンテンツ生成部５５が、各格納場所から取得した情報が貼り付けられる。図１０に示すように、商品画像エリア２１０には「ほうれん草」に関する商品画像２５０が、残り個数エリア２２０にはほうれん草の残数すなわちタグ計数値２６０が、商品名エリア２３０には「ほうれん草」に関する文字フォント２７０が、値段エリア２４０には「７０円」に関する文字フォント２８０がそれぞれ貼り付けられる。
【００４８】
なお、商品の残り個数ととともに、図７に示したタグ計数値の変化を時間軸で記録したグラフを貼り付けてもよい。このようなグラフを投写コンテンツに含めることによって、商品の無くなる勢いを分かりやすく表現することができる。これにより、顧客の購買意欲をさらに高めることができる。
【００４９】
そして、投写コンテンツ１００の生成が終了すると、投写ユニット１１が店舗内の商品売り場に投写コンテンツを投写する（ステップＳ３３）。
【００５０】
なお、顧客が商品棚７５から商品８５を採ってカゴに入れると、商品棚７５に陳列されている商品８５の数が減少するが、電子タグ読取装置９０が再度電子タグ８１を読み取ることによって、減少後の商品の数を計数することができる。このため、図１１に示すように、商品が減っていく毎に残り個数エリア２２０だけを書き換えて、投写コンテンツ１００を再生成したものを投写することができる。
【００５１】
一方、ステップＳ２７において、商品の残数が「０」であれば（ステップＳ２７：Ｎｏ）、計数値分析部５９はタグ計数値「０」をコンテンツ生成部５５へ送信し、コンテンツ生成部５５は、商品が売切れである旨のコンテンツ素材をコンテンツ情報記憶部５７から取得し、投写する（ステップＳ２９）。すなわち、「タイムセール終了」に関するテンプレートのコンテンツ「TimeSale_End.tplt」を格納場所「\localdata\template」から取得する。図１２に示すようにテンプレート画像３００の商品画像エリア３１０に「ほうれん草」に関する商品画像２５０が貼り付けられた投写コンテンツ１００を投写する。
【００５２】
上述した実施形態では、ステップＳ２５において商品８５のタグ計数を取得し、ステップＳ２７において商品がまだあるか否かを判定したが、ステップＳ２５及びステップＳ２７を省略することもできる。つまり、ステップＳ２１において取得したコンテンツ素材が、図１３に示すようなテンプレート画像４００である場合は、残り個数エリア２２０を含まないためタグ計数値を取得する必要がない。
【００５３】
また、図１３に示したテンプレート画像４００の場合には、商品画像エリア４１０、商品名エリア４２０、値段エリア４３０、レシピ画像エリア４４０及びレシピエリア４５０の５つの空白エリアが設けられている。各エリアには、コンテンツ生成部５５がステップＳ２１において各格納場所から取得した情報が貼り付けられる。商品画像エリア４１０、商品名エリア４２０、値段エリア４３０には、上述したとおり図６に示すコンテンツ素材リストに示されている格納場所から取得したコンテンツ素材を貼り付けることができる。
【００５４】
例えば図１４に示すように、商品画像エリア４１０には「ニンジン」に関する商品画像４６０が、商品名エリア４２０には「ニンジン」に関する文字フォント４７０が、値段エリア４３０には「５０円」に関する文字フォント４８０がそれぞれ貼り付けられる。
【００５５】
しかしながら、レシピ画像エリア４４０及びレシピエリア４５０については、図６に示すコンテンツ素材リストに格納場所が示されていないため、コンテンツ素材を貼り付けることができない。つまり、ステップＳ１９において、投写コンテンツを生成するために必要な情報の格納場所を知らないため（ステップＳ１９：Ｎｏ）、コンテンツ生成部５５は関連情報取得部５３を介して商品関連情報を、例えばインターネット７０上のウェブサーバー８０から取得する（ステップＳ２３）。
【００５６】
上述したように、関連情報取得部５３は、”ニンジン”+”レシピ”を検索式として検索すれば、ニンジンを使用したメニューの画像データや、ニンジンを使用したメニューのレシピ情報を取得することができる。そしてコンテンツ生成部５５は、図１５に示すように、ニンジンを使用したメニューの画像データ４９０をレシピ画像エリア４４０に貼り付け、ニンジンを使用したメニューのレシピ情報５００をレシピエリア４５０に貼り付けて、投写コンテンツ１００を完成させる。
【００５７】
このように上記実施形態によれば、プロジェクター１はＰＯＳシステム６０と通信可能に接続されているので、投写コンテンツ１００に必要な情報として、予めデータベースに登録されている情報を使用するだけでなく、ＰＯＳシステム６０から取得したＰＯＳ情報を使用することができる。このため、時々刻々と変化する商品販売状況に対応した、効果的な投写コンテンツを生成することが可能となる。
【００５８】
また、ＰＯＳシステム６０で管理されている商品に関連する商品関連情報をインターネット７０などのネットワークから取得して投写コンテンツを作成することができる。このため、データベースに登録されている固定的な投写コンテンツを使用する場合と比べ、商品販売状況に合わせた流動的な投写コンテンツ１００を生成することができる。
【００５９】
また、コンテンツ素材としてテンプレート画像２００や４００のようなコンテンツ素材に、ＰＯＳシステム６０から取得した商品のＰＯＳ情報（その商品が特売品であることや特価の値段等）や、インターネット７０から取得した商品関連情報（メニュー画像やレシピ情報等）などを貼り付ける。このため、投写コンテンツの生成処理速度を極端に低下させることを防止しつつ、効果的な投写コンテンツ１００を提供することができる。
【００６０】
また、商品に付与されている電子タグ８１の計数値を取得することができるので、商品棚７５に陳列されている商品８５の数をリアルタイムで取得することができる。そして、タグ計数値を含めた投写コンテンツ１００を表示することによって、売り場の商品数を顧客に知らせることができる。
【００６１】
また、商品の在庫と単位時間当たりの販売個数とから予測される売り切れ予測時間や、商品残数変化を示したグラフ等を投写コンテンツに含めることもできるので、購買意欲を高める効果的な投写コンテンツを表示させることができる。
【００６２】
なお、上記実施形態では、キーワードはＰＯＳシステム６０側で予め指定されていたが、プロジェクター１のユーザーが入力装置を介して与えることもできる。
【００６３】
また、電子タグ読取装置９０は、プロジェクター１と別体構成となっていたが、プロジェクター１に内蔵されていてもよい。
【００６４】
また、上記実施形態では、表示装置としてプロジェクター１を一例として説明したが、本発明は、液晶ディスプレイ、プラズマディスプレイ、有機ＥＬ（Electro-Luminescence）ディスプレイ等を備えたデジタルテレビジョンにも適用することができる。なお、上記実施例では、コンテンツサーバー２０が構内ネットワーク７１に、ウェブサーバー８０がインターネット７０に、それぞれ接続されているものとして説明したが、例えば、ウェブサーバー８０は構内ネットワーク７０上に設けられていてもよいし、コンテンツサーバー２０はインターネット７０に接続されていてもよい。要するに、ネットワーク２に接続された他の通信機器から、必要な情報を取得することができればよい。
【符号の説明】
【００６５】
１，３，５，７：プロジェクター、２：ネットワーク、１０：制御部、１１：投写ユニット、１２：拡張スロット、１３：ネットワークカード、１５：ＣＰＵ、１６：ＲＡＭ、１７：ＲＯＭ、１８：データ通信部、１９：周辺機器接続部、２０：コンテンツサーバー、２１：ネットワークコントローラー、２２：通信Ｉ／Ｆ、２３：接続Ｉ／Ｆコントローラー、２４：周辺装置、２５：接続コネクタ、２６：記憶媒体、３０：ＯＳプラットフォーム、３１：ソフトウェアプラットフォーム、３２：Ｊａｖａ（登録商標）ＶＭ、３３：ライブラリー、３４：フレームワーク群、３４ａ：ＯＳＧｉフレームワーク、５１：ＰＯＳ情報取得部、５３：関連情報取得部、５５：コンテンツ生成部、５７：コンテンツ情報記憶部、５８：タグ計数値取得部、５９：計数値分析部、６０：ＰＯＳシステム、６１：ＰＯＳ情報提供部、７０：インターネット、７１：構内ネットワーク、７５：商品棚、８０：ウェブサーバー、８１：電子タグ、８５：商品、９０：電子タグ読取装置、９１：タグ計数値提供部、１００：投写コンテンツ、２００，４００：テンプレート画像、２１０，４１０：商品画像エリア、２２０：残り個数エリア、２３０，４２０：商品名エリア、２４０，４３０：値段エリア、２５０，４６０：商品画像、２６０，２７０，２８０，４７０，４８０：文字フォント、４４０：レシピ画像エリア、４５０：レシピエリア、４９０：メニューの画像データ、５００：レシピ情報。
【図１】
2011100316.tif 000003
【図２】
2011100316.tif 000004
【図３】
2011100316.tif 000005
【図４】
2011100316.tif 000006
【図５】
2011100316.tif 000007
【図６】
2011100316.tif 000008
【図７】
2011100316.tif 000009
【図８】
2011100316.tif 000010
【図９】
2011100316.tif 000011
【図１０】
2011100316.tif 000012
【図１１】
2011100316.tif 000013
【図１２】
2011100316.tif 000014
【図１３】
2011100316.tif 000015
【図１４】
2011100316.tif 000016
【図１５】
2011100316.tif 000017